(57)【要約】【課題】解説放送番組の音声を短時間で、かつ、低コストで制作できる解説付加音声生成装置を提供する。【解決手段】解説放送番組生成装置（解説付加音声生成装置）１は、映像の内容に関連する解説原稿（テキストデータ）を音声合成して解説音声を生成する音声合成手段１４と、当該映像の音声である映像音声から発声音の音声区間である喋り区間（発声音区間）、及び、無音あるいは背景音のみの音声区間であるポーズ区間を検出する音声分析手段（区間検出手段）１３と、ポーズ区間の区間長に基づいて、解説音声を話速変換する話速変換手段１５と、映像音声に、話速変換された解説音声を付加する音声接続手段（音声付加手段）１６とを備えることを特徴とする。【選択図】図１
2008039845.tif 000002
【特許請求の範囲】
【請求項１】
映像の音声である映像音声と、当該映像の内容に関連するテキストデータとを外部から入力し、前記映像音声に、前記テキストデータを音声に変換した解説音声を付加した解説付加音声を生成する解説付加音声生成装置であって、
前記テキストデータから音声合成によって前記解説音声を生成する音声合成手段と、
前記映像音声から、当該映像音声の再生時間の時間軸上において、発声音の音声区間である発声音区間、及び、無音あるいは背景音のみの音声区間であるポーズ区間を検出する区間検出手段と、
前記ポーズ区間の区間長に基づいて、前記解説音声を話速変換する話速変換手段と、
前記映像音声に、前記話速変換手段によって話速変換された解説音声を付加して前記解説付加音声を生成する音声付加手段と、
を備えることを特徴とする解説付加音声生成装置。
【請求項２】
前記話速変換手段が、前記発声音区間に対応する前記映像音声を話速変換するとともに、この話速変換によって当該発声音区間が伸縮した長さと、前記ポーズ区間の区間長とに基づいて前記解説音声を話速変換し、
前記音声付加手段が、前記話速変換手段によって話速変換された映像音声に、前記話速変換手段によって話速変換された解説音声を付加することを特徴とする請求項１に記載の解説付加音声生成装置。
【請求項３】
前記話速変換手段によって話速変換された前記映像音声の発声音区間における、話速変換による伸縮を示す情報に基づいて、外部から入力された前記映像の前記発声音区間に対応する区間の区間長を伸縮する映像速度変換手段を備えることを特徴とする請求項２に記載の解説付加音声生成装置。
【請求項４】
映像の音声である映像音声と、当該映像の内容に関連するテキストデータとを外部から入力し、前記映像音声に、前記テキストデータを音声に変換した解説音声を付加した解説付加音声を生成するためにコンピュータを、
前記テキストデータから音声合成によって前記解説音声を生成する音声合成手段、
前記映像音声から、当該映像音声の再生時間の時間軸上において、発声音の音声区間である発声音区間、及び、無音あるいは背景音のみの音声区間であるポーズ区間を検出する区間検出手段、
前記ポーズ区間の区間長に基づいて、前記解説音声を話速変換する話速変換手段、
前記映像音声に、前記話速変換手段によって話速変換された解説音声を付加して前記解説付加音声を生成する音声付加手段、
として機能させることを特徴とする解説付加音声生成プログラム。
【発明の詳細な説明】
【技術分野】
【０００１】
本発明は、映像に当該映像の内容を示す解説音声を付加する解説付加音声生成装置及び解説付加音声生成プログラムに関する。
【背景技術】
【０００２】
従来、テレビ放送における解説放送番組の制作においては、通常の手順で番組を完成させた後に、番組の台本や脚本とは別に、視覚障害者のための情景描写や字幕の内容についての解説原稿を専門家が作成する。そして、スタジオにおいて、解説放送番組用のディレクタの指示のもと、映像音声における台詞やナレーションなどの発声音が含まれる音声の区間（喋り区間）に重ならないように、この喋り区間から次の喋り区間までの無音あるいは背景音のみの区間（ポーズ区間）にナレータが絶妙のタイミングで解説原稿を読み上げて解説音声を付加することで、解説放送番組が制作されていた。
【０００３】
この解説放送番組では、テレビ音声の「主音声」及び「副音声」モードを利用して、映像音声を「主音声」チャンネルに、映像音声に解説音声を付加した音声を「副音声」チャンネルに流している。アナログ放送では、主音声、副音声ともにモノラル音声となるが、デジタル放送においては、地上放送と衛星放送の両方において、主音声、副音声ともにステレオ音声が可能となる。
【０００４】
また、古典芸能や外国語の演劇などの舞台鑑賞において、観客に芸能や演劇の背景や、難しい台詞の補足等を無線イヤホンレシーバを利用して行う解説放送がある。この解説放送の作業を支援するための技術が開示されている（特許文献１及び特許文献２参照）。この技術では、解説の音声を予め録音し、解説単位ごとに識別番号を付与して、この識別番号に基づいて再生順序や再生のタイミングを予め設定、あるいは、操作者によって指示することで、舞台の進行に合わせて解説放送を行うものである。
【特許文献１】特開２００２−２６８３０号公報（段落番号００１１〜００４２）
【特許文献２】特開２００２−２６８４０号公報（段落番号００１０〜００３３）
【発明の開示】
【発明が解決しようとする課題】
【０００５】
しかしながら、従来のテレビ放送における解説放送番組の制作では、解説音声の原稿作成者（シナリオライタ）には、ポーズ区間の限られた時間内に挿入する効果的で、かつ、番組の雰囲気を壊さない用語の選択など、知識と熟練度が必要であった。また、解説音声の録音においては、専門のナレータが必要なだけでなく、録音するスタジオも確保する必要があった。更に、解説音声の録音時には、発声開始のタイミングや発声速度を調整しなければならず、リハーサルなどを含めて多くの時間と費用が必要であった。そのため、解説放送番組の普及率は高くなく、平成１７年８月の総務省の報道資料によれば、平成１６年度の総放送時間に占める解説放送の割合は、ＮＨＫ（総合）では３．２％、ＮＨＫ（教育）では７．９％、民放キー５局では０．５％に留まっている。
【０００６】
また、特許文献１に記載の技術は、舞台の上演に関わる作業や劇場の環境に特化したものであり、時間の限られたポーズ区間において喋り区間に重ならないように解説音声を付加しなければならないテレビ放送などの解説放送には適用できない。
【０００７】
本発明は、前記従来技術の問題を解決するために成されたもので、解説放送番組の音声を短時間で、かつ、低コストで制作できる解説付加音声生成装置及び解説付加音声生成プログラムを提供することを目的とする。
【課題を解決するための手段】
【０００８】
前記課題を解決するため、請求項１に記載の解説付加音声生成装置は、映像の音声である映像音声と、当該映像の内容に関連するテキストデータとを外部から入力し、前記映像音声に、前記テキストデータを音声に変換した解説音声を付加した解説付加音声を生成する解説付加音声生成装置であって、音声合成手段と、区間検出手段と、話速変換手段と、音声付加手段とを備える構成とした。
【０００９】
かかる構成によれば、解説付加音声生成装置は、音声合成手段によって、テキストデータから音声合成して解説音声を生成し、区間検出手段によって、映像音声から、当該映像音声の再生時間の時間軸上において、発声音の音声区間である発声音区間、及び、無音あるいは背景音のみの音声区間であるポーズ区間を検出する。そして、解説付加音声生成装置は、話速変換手段によって、ポーズ区間の区間長に基づいて、解説音声を話速変換し、音声付加手段によって、映像音声に、話速変換手段で話速変換された解説音声を付加して解説付加音声を生成する。
【００１０】
これによって、解説付加音声生成装置は、テキストデータから解説音声を生成し、映像音声のポーズ区間に付加して、解説付加音声を生成することができる。
【００１１】
また、請求項２に記載の解説付加音声生成装置は、請求項１に記載の解説付加音声生成装置において、前記話速変換手段が、前記発声音区間に対応する前記映像音声を話速変換するとともに、この話速変換によって当該発声音区間が伸縮した長さと、前記ポーズ区間の区間長とに基づいて前記解説音声を話速変換し、前記音声付加手段が、前記話速変換手段によって話速変換された映像音声に、前記話速変換手段によって話速変換された解説音声を付加する構成とした。
【００１２】
これによって、解説付加音声生成装置は、発声音区間の映像音声と解説音声との両方を話速変換して映像音声に解説音声を付加し、解説付加音声を生成することができる。
【００１３】
また、請求項３に記載の解説付加音声生成装置は、請求項２に記載の解説付加音声生成装置において、前記話速変換手段によって話速変換された前記映像音声の発声音区間における、話速変換による伸縮を示す情報に基づいて、外部から入力された前記映像の前記発声音区間に対応する区間の区間長を伸縮する映像速度変換手段を備える構成とした。
【００１４】
これによって、解説付加音声生成装置は、話速変換による映像音声の伸縮に合わせて当該映像音声に対応する映像を伸縮させることで、解説付加音声とともに当該解説付加音声に同期した映像を生成することができる。
【００１５】
また、請求項４に記載の解説付加音声生成プログラムは、映像の音声である映像音声と、当該映像の内容に関連するテキストデータとを外部から入力し、前記映像音声に、前記テキストデータを音声に変換した解説音声を付加した解説付加音声を生成するためにコンピュータを、音声合成手段、区間検出手段、話速変換手段、音声付加手段として機能させることとした。
【００１６】
かかる構成によれば、解説付加音声生成プログラムは、音声合成手段によって、テキストデータから音声合成によって解説音声を生成し、区間検出手段によって、映像音声から、当該映像音声の再生時間の時間軸上において、発声音の音声区間である発声音区間、及び、無音あるいは背景音のみの音声区間であるポーズ区間を検出する。そして、解説付加音声生成プログラムは、話速変換手段によって、ポーズ区間の区間長に基づいて、解説音声を話速変換し、音声付加手段によって、映像音声に、話速変換手段で話速変換された解説音声を付加して解説付加音声を生成する。
【００１７】
これによって、解説付加音声生成プログラムは、テキストデータから解説音声を生成し、映像音声のポーズ区間に付加して、解説付加音声を生成することができる。
【発明の効果】
【００１８】
本発明に係る解説付加音声生成装置及び解説付加音声生成プログラムでは、以下のような優れた効果を奏する。請求項１及び請求項４に記載の発明によれば、テキストデータから音声合成により解説音声を生成するため、専門のナレータや録音するスタジオや録音のリハーサル等が不要となり、コスト削減や制作時間の短縮ができる。
【００１９】
また、ポーズ区間の区間長に合わせて解説音声を話速変換して時間尺を調整するため、冗長な文章であってもポーズ区間の区間長に合わせた解説音声にでき、原稿の作成に従来のような熟練度を要しないとともに、音声合成により生成された解説音声を用いて解説付加音声を生成することが可能になる。更に、原稿の作成が容易になりシナリオライタの人材確保が容易になるとともに、解説付加音声の制作のコスト削減や制作時間の短縮が可能になることで、解説放送番組の制作を促し、解説放送の普及拡大に寄与することができる。
【００２０】
請求項２に記載の発明によれば、ポーズ区間の区間長が解説音声に対して短くても、映像音声も話速変換してポーズ区間を長くすることで、解説音声の話速が極端に早くなるのを防ぐことができるとともに、映像音声の話速と解説音声の話速の両方を調整することができるため、２つの話速をほぼそろえることで、全体的に話速のバランスがそろい、聞き取りやすい解説付加音声を生成することができる。
【００２１】
請求項３に記載の発明によれば、解説付加音声に同期した映像を生成することができるため、視覚障害者だけでなく弱視者や晴眼者に対しても利用可能な解説放送番組を生成することができる。
【発明を実施するための最良の形態】
【００２２】
以下、本発明の実施の形態について図面を参照して説明する。
［解説放送番組生成装置の構成］
まず、図１を参照して、本発明における解説放送番組生成装置１の構成について説明する。図１は、本発明における解説放送番組生成装置の構成を模式的に示した模式図である。
【００２３】
解説放送番組生成装置（解説付加音声生成装置）１は、映像と、この映像の音声である映像音声と、この映像の各場面の内容を解説したテキストデータである解説原稿とを入力し、この映像音声において無音あるいは背景音のみの区間であるポーズ区間に、解説原稿を音声合成した解説音声を付加した副音声（解説付加音声）と、当該副音声に対応する映像である副音声同期映像とを生成するものである。ここで、解説放送番組生成装置１は、解説原稿入力手段１１と、映像速度変換手段１２と、音声分析手段１３と、音声合成手段１４と、話速変換手段１５と、音声接続手段１６と、映像・音声出力手段１７と、原映像出力手段１８と、副音声同期映像出力手段１９と、主音声出力手段２０と、副音声出力手段２１とを備える。
【００２４】
ここで、解説放送番組生成装置１には、外部に番組映像蓄積装置３と、解説放送番組蓄積装置７とが接続されている。番組映像蓄積装置３は、複数のテレビ番組の映像及びこれら映像の映像音声を蓄積するもので、ハードディスク等の一般的な記憶手段によって構成される。この番組映像蓄積装置３には、例えば、通常の方法によって制作されたテレビ番組の映像及び映像音声が記録されたＶＴＲ（Video Tape Recorder）や光ディスク等（図示せず）から図示しない入力手段によって映像及び映像音声が入力される。この際、映像と映像音声とが混合されて圧縮符号化されている場合には、映像と映像音声とを分離した後に番組映像蓄積装置３に蓄積する。なお、ここでは番組映像蓄積装置３はテレビ番組の映像と映像音声とを蓄積することとしたが、テレビ番組以外の映像と映像音声とを蓄積することとしてもよい。
【００２５】
また、解説放送番組蓄積装置７は、映像（原映像）と映像音声（主音声）と、副音声と、副音声同期映像とを蓄積するもので、ハードディスク等の一般的な記憶手段によって構成される。そして、解説放送番組生成装置１は、番組映像蓄積装置３から映像と映像音声とを入力し、副音声と副音声同期映像を生成して、番組映像蓄積装置３から読み出した映像（原映像）及び映像音声（主音声）とともに解説放送番組蓄積装置７に蓄積する。この解説放送番組蓄積装置７に記憶された原映像、主音声、副音声及び副音声同期映像は、作業者によって必要な組み合わせが選択され、例えば、ＶＴＲや光ディスク等（図示せず）に解説放送番組として記録される。
【００２６】
更に、解説放送番組生成装置１には、外部に出力装置５が接続されている。この出力装置５は、解説放送番組生成装置１から出力された画像あるいは映像を表示し、また、音声を出力するものであって、例えば、液晶表示パネルのようなディスプレイとスピーカとから構成される。以下、解説放送番組生成装置１の構成について詳細に説明する。
【００２７】
解説原稿入力手段１１は、番組映像蓄積装置３から入力される映像音声に付加する解説音声の原稿である解説原稿を外部から入力するものである。ここで入力された解説原稿は、音声合成手段１４に出力される。なお、ここで入力される解説原稿の文章は、例えば、タイムコードによって、挿入される映像音声の各々のポーズ区間に予め対応付けられていることとする。ここで、例えば、解説放送を制作する作業者が、後記する音声分析手段１３によって分析された映像音声の喋り区間（発声音区間）とポーズ区間との検出結果を出力装置５を介して参照しながら、キーボードや自動音声認識装置（図示せず）を介して解説原稿を入力することとしてもよい。なお、ここで、解説音声を喋りなれた作業者によって発声した解説音声を入力し、この音声を、後記する音声合成手段１４によって生成される解説音声の代わりに用いることとしてもよい。
【００２８】
映像速度変換手段１２は、後記する話速変換手段１５から入力される映像音声及び解説音声の伸縮の情報に基づいて、番組映像蓄積装置３から入力された映像を伸縮するものである。ここで、映像速度変換手段１２には、話速変換手段１５によって映像音声及び解説音声が話速変換された場合の喋り区間及びポーズ区間の区間長の伸縮の情報が入力され、映像速度変換手段１２は、この区間長の伸縮に合わせて、この喋り区間およびポーズ区間に対応する区間の映像についてフレーム単位で間引いたり繰り返したりすることで映像を伸縮する。このように映像を伸縮することで、映像速度変換手段１２は、音声接続手段１６によって生成された副音声に同期した映像（副音声同期映像）を生成することができる。ここで生成された副音声同期映像は、映像・音声出力手段１７及び副音声同期映像出力手段１９に出力される。なお、映像音声及び解説音声の伸縮の情報とは、例えば、話速変換された喋り区間やポーズ区間を、映像及び映像音声の再生時間に対応させたときの開始時間と終了時間もしくはタイムコードの情報、及び、この区間の区間長の伸縮率を示す情報などである。
【００２９】
音声分析手段（区間検出手段）１３は、番組映像蓄積装置３から入力された映像音声を分析し、台詞やナレーションなどの区間である喋り区間と、無音あるいは背景音のみの区間であるポーズ区間とを検出するものである。この音声分析手段１３は、例えば、特許第３１６０２２８号公報に記載されるような様々な音声分析技術によって実現することができる。ここでは、音声分析手段１３は、映像音声を当該映像音声の再生時間に対応させて、検出した各区間の開始時間と終了時間とを記録することとした。ここで音声分析された区間の情報と映像音声は、話速変換手段１５及び映像・音声出力手段１７に出力される。
【００３０】
音声合成手段１４は、解説原稿入力手段１１から入力された解説原稿を音声合成して、解説音声を生成するものである。ここで音声合成された解説音声は、話速変換手段１５及び映像・音声出力手段１７に出力される。
【００３１】
ここで、作業者は、後記する映像・音声出力手段１７を介して出力装置５から出力された解説音声を聞くことができる。そして、ここでは、音声合成手段１４は、読みやアクセントの修正機能を有し、図示しない入力手段を介して作業者によって入力された指令に基づいて、解説音声に含まれる読みやアクセントの誤りを修正することができる。更に、ここでは、音声合成手段１４は、図示しない入力手段を介して作業者によって入力された指令に基づいて、男女含めた複数の話者の声質で音声を合成することができ、また、声の高さの調整や、イントネーションを強調あるいは抑制する機能も有することとした。そして、作業者が映像にふさわしい声質を選択したり、映像の場面に応じて声の高さや抑揚の設定をしたり、映像の途中で話者を変えたりする指令を入力することで、音声合成手段１４は、それらの指令に応じた解説音声を音声合成することができる。なお、この音声合成手段１４は、例えば、特開２００４−１３９０３３号公報に記載されるような様々な音声合成技術によって実現することができる。
【００３２】
話速変換手段１５は、音声分析手段１３から入力された映像音声と、音声合成手段１４から入力された解説音声との話速変換を行うものである。ここで、話速変換とは、声の高さや質は保ったまま、音声の時間長を伸縮することである。この話速変換手段１５は、例えば、特許第２９５５２４７号公報や特許第３２２００４３号公報に記載されるような様々な話速変換技術によって実現することができる。ここでは、話速変換手段１５は、図示しない入力手段から入力された作業者からの指令に基づいて、解説音声のみ、あるいは、映像音声と解説音声との両方について話速変換を行う。ここで話速変換された映像音声及び解説音声は、音声接続手段１６に出力される。また、当該話速変換手段１５の話速変換による映像音声及び解説音声の伸縮の情報は、映像速度変換手段１２及び映像・音声出力手段１７に出力される。
【００３３】
ここで、話速変換手段１５による話速変換について、図２を参照（適宜図１参照）して具体例を用いて説明する。図２は、話速変換手段による話速変換を説明するための説明図、（ａ）は、音声分析手段によって検出された喋り区間とポーズ区間の例を模式的に示した模式図、（ｂ）は、話速変換手段による話速変換のパターンの例を模式的に示した模式図、（ｃ）は、話速変換手段による話速変換の他のパターンの例を模式的に示した模式図、（ｄ）は、話速変換手段による話速変換の他のパターンの例を模式的に示した模式図である。なお、図２において、破線は喋り区間Ａ１、Ａ２、Ａ３、…及びポーズ区間Ｂ１、Ｂ２、…の開始時間及び終了時間を、一点鎖線は喋り区間Ａ１、Ａ２、Ａ３、…及びポーズ区間Ｂ１、Ｂ２、…の中心の時間を模式的に示す。
【００３４】
ここで、図２（ａ）に示すように、音声分析手段１３によって、喋り区間Ａ１、Ａ２、Ａ３、…と、ポーズ区間Ｂ１、Ｂ２、…とが検出されたとする。なお、図２（ａ）では、検出された区間のうちの一部の区間（喋り区間Ａ１、Ａ２、Ａ３及びポーズ区間Ｂ１、Ｂ２）を示した。そして、話速変換手段１５は、ひとつの映像全体に対応する映像音声の時間尺と、変換後の映像音声と解説音声と時間尺の和が一致するように、解説音声のみ、あるいは、映像音声と解説音声との両方について話速変換する。ここでは、話速変換手段１５には、図２（ｂ）〜（ｄ）に示すパターン１からパターン３までの３つの変換のパターンが予め設定されていることとする。
【００３５】
ここで、話速変換手段１５に設定されたパターンの例について説明する。図２（ｂ）に示すパターン１では、話速変換手段１５は、喋り区間Ａ１、Ａ２、Ａ３、…の映像音声Ｃ１、Ｃ２、Ｃ３、…は話速変換せず、ポーズ区間Ｂ１、Ｂ２、…の区間長に合わせて音声合成手段１４から入力された解説音声を話速変換して、解説音声Ｄ１、Ｄ２、…とする。このとき、ポーズ区間長より２００ミリ秒程度短い区間長に解説音声Ｄ１、Ｄ２、…が収まるように話速変換することで、後記する音声接続手段１６によって前後の喋り区間との間にわずかな区間を残してポーズ区間に解説音声Ｄ１、Ｄ２、…をはめ込むことができ、視聴者にとって聞きやすい副音声を生成することができる。
【００３６】
なお、視覚障害者は、晴眼者に比べて２〜３倍の早口（かなで１分間に８００〜１２００文字程度の話速）の音声であっても十分理解できるという報告があり（「視覚障害者への音声提示における最適・最高速度」、ヒューマンインターフェース学会論文誌、Ｖｏｌ．７、Ｎｏ．１、ｐｐ．１０５−１１１、２００５参照）、ポーズ区間Ｂ１、Ｂ２、…の区間長が短く解説音声Ｄ１、Ｄ２、…が早口になってしまっても視覚障害者は聞き取ることができる。そして、このパターン１では、映像音声は話速変換しないので、後記する音声接続手段１６によって生成された副音声は、喋り区間の音声が映像と一致したものとなり、弱視者や晴眼者が視聴しても映像との間にずれの生じない副音声となる。ここで、ポーズ区間Ｂ１、Ｂ２、…の区間長が、話速変換前の解説音声より長い場合には、話速変換手段１５は音声合成手段１４から入力された解説音声を話速変換しない。
【００３７】
また、図２（ｃ）に示すパターン２では、話速変換手段１５は、各々の喋り区間Ａ１、Ａ２、Ａ３、…の映像音声の開始時間は変更せず、映像音声と解説音声との話速を同程度に設定して音声分析手段１３から入力された映像音声と、音声合成手段１４から入力された解説音声とを話速変換し、映像音声Ｃ１’、Ｃ２’、Ｃ３’、…と解説音声Ｄ１’、Ｄ２’、…とする。このパターン２では、映像音声Ｃ１’、Ｃ２’、Ｃ３’、…と、解説音声Ｄ１’、Ｄ２’、…とで話速がそろうため、後記する音声接続手段１６によって生成された副音声は、話速が異なる音声が組み合わされたものより聞き取りやすいものとなる。また、映像内の番組出演者の喋りはじめと、映像音声Ｃ１’、Ｃ２’、Ｃ３’、…の開始時間とが一致するため、映像と副音声とを弱視者や晴眼者が視聴する場合における映像内の番組出演者の唇の動きと副音声のずれによる違和感は軽減される。
【００３８】
更に、図２（ｄ）に示すパターン３では、話速変換手段１５は、各々の喋り区間Ａ１、Ａ２、Ａ３、…及びポーズ区間Ｂ１、Ｂ２、…の中心の時間が、話速変換後の映像音声Ｃ１”、Ｃ２”、Ｃ３”、…と、解説音声Ｄ１”、Ｄ２”、…の中心の時間と一致するように、映像音声と解説音声との話速を同程度に設定して、映像音声と解説音声とを話速変換する。このパターン３では、パターン２と同様に映像音声Ｃ１”、Ｃ２”、Ｃ３”、…と、解説音声Ｄ１”、Ｄ２”、…とで話速がそろうため、後記する音声接続手段１６によって生成された副音声は、話速が異なる音声が組み合わされたものより聞き取りやすいものとなる。また、喋り区間Ａ１、Ａ２、Ａ３、…に解説音声Ｄ１”、Ｄ２”、…の区間が重複する時間が、パターン２に比べて少なくなるため、映像内において喋っている番組出演者の顔が出ることの少ない、ナレーションによる説明が中心の番組に適している。
【００３９】
そして、話速変換手段１５は、音声分析手段１３から入力された区間の情報に基づいて、設定されたパターン１からパターン３のそれぞれについて、各喋り区間とポーズ区間とに対応する映像音声と解説音声との区間の伸縮及び話速を設定する。更に、話速変換手段１５は、これらのパターン１からパターン３の映像音声及び解説音声の伸縮を示す情報を、後記する映像・音声出力手段１７に出力する。この情報は更に出力装置５に出力され、出力装置５を介してこの情報を参照した作業者によってパターンを指定する指令が入力されると、話速変換手段１５は、この指令に基づいて解説音声のみ、あるいは、映像音声と解説音声との両方について話速変換を行い、話速変換された映像音声及び解説音声を音声接続手段１６に出力する。また、話速変換手段１５は、ここで話速変換された映像音声及び解説音声の伸縮の情報を映像速度変換手段１２に出力する。
【００４０】
なお、話速変換のパターンは前記の例に限定されない。また、ここで説明した話速変換のパターンは予め設定されていることとしたが、作業者が適宜、話速変換手段１５の話速変換のパターンの修正や追加を行うこととしてもよい。
【００４１】
図１に戻って説明を続ける。音声接続手段（音声付加手段）１６は、話速変換手段１５によって話速変換された映像音声と解説音声とを接続して、副音声を生成するものである。ここで生成された副音声は、映像・音声出力手段１７及び副音声出力手段２１に出力される。
【００４２】
映像・音声出力手段１７は、音声分析手段１３から入力された映像音声と、音声合成手段１４から入力された解説音声と、番組映像蓄積装置３から入力された映像と、映像速度変換手段１２から入力された副音声同期映像を、図示しない入力手段から入力された作業者からの指令に基づいて、出力可能な形式に変換して出力装置５に出力するものである。また、映像・音声出力手段１７は、音声分析手段１３から入力された喋り区間とポーズ区間の検出結果と、話速変換手段１５から入力された話速変換のパターンとを、図示しない入力手段から入力された作業者からの指令に基づいて、表示可能な出力形式に変換して出力装置５に出力するものでもある。更に、映像・音声出力手段１７は、図示しない入力手段から入力された作業者からの指令に基づいて、音声接続手段１６から入力された副音声を表示可能な出力形式に変換して出力装置５に出力するものでもある。
【００４３】
ここで、図３を参照（適宜図１参照）して、映像・音声出力手段１７によって生成され、出力装置５の表示画面に表示される画像の例について説明する。図３は、映像・音声出力手段によって生成される画像の一例を示す模式図である。
【００４４】
図３に示すように、画像Ｗは、音声分析結果提示領域Ｅ０と、パターン提示領域Ｅ１、Ｅ２、…と、映像再生領域Ｆと、解説原稿提示領域Ｇとで主に構成されている。
【００４５】
音声分析結果提示領域Ｅ０は、映像の再生時間の時間軸上に、映像音声の区間を視覚化して提示する領域である。ここで、映像・音声出力手段１７は、音声分析手段１３から入力された喋り区間とポーズ区間の情報に基づいて、音声分析結果提示領域Ｅ０に喋り区間Ａ１、Ａ２、…とポーズ区間Ｂ１、Ｂ２、…とを提示する。
【００４６】
パターン提示領域Ｅ１、Ｅ２、…は、映像音声及び解説音声の話速変換のパターンを提示する領域である。ここで、映像・音声出力手段１７は、話速変換手段１５から入力された映像音声と解説音声の伸縮を示す情報に基づいて、パターン提示領域Ｅ１、Ｅ２、…の各々に、映像の再生時間の時間軸上に、話速変換の各パターンの映像音声と解説音声との区間を視覚化して提示する。例えば、パターン提示領域Ｅ１では、音声分析結果提示領域Ｅ０に提示された喋り区間Ａ１、Ａ２、…と同じ区間に映像音声Ｃ１、Ｃ２、…が、ポーズ区間Ｂ１、Ｂ２、…と同じ区間に解説音声Ｄ１、Ｄ２、…が提示されている。
【００４７】
映像再生領域Ｆは、図示しない入力手段によって作業者から入力された指令に基づいて映像を提示する領域である。ここで、作業者が図示しないマウス等によって音声分析結果提示領域Ｅ０及びパターン提示領域Ｅ１、Ｅ２、…内の任意の領域をドラッグして選択すると、映像・音声出力手段１７は、その範囲の映像及び副音声同期映像を映像再生領域Ｆに提示する。このとき同時に、映像・音声出力手段１７は、選択された範囲の映像音声及び解説音声を出力装置５が備える図示しないスピーカ等に出力する。これによって、作業者はパターン提示領域Ｅ１、Ｅ２、…に示される話速変換のパターンのうちから最も適切なものを選択することができる。
【００４８】
解説原稿提示領域Ｇは、ポーズ区間Ｂ１、Ｂ２、…に対応する解説原稿を入力及び提示する領域である。ここで、解説原稿提示領域Ｇは、解説原稿入力領域Ｇ１を有し、作業者が図示しない入力手段によってポーズ区間を指定し、解説原稿のテキストを入力すると、映像・音声出力手段１７は、当該解説原稿入力領域Ｇ１に解説原稿を表示する。そして、作業者がこの解説原稿を確定することで、解説放送番組生成装置１は、各ポーズ区間Ｂ１、Ｂ２、…に対応する解説原稿を解説原稿入力手段１１から入力することができる。また、作業者が図示しない入力手段によって、解説原稿がすでに入力されているポーズ区間を指定して再生することで、映像・音声出力手段１７は、音声合成手段１４によって音声合成された当該ポーズ区間に対応する解説音声を出力装置５が備える図示しないスピーカ等に出力する。
【００４９】
図１に戻って説明を続ける。原映像出力手段１８は、番組映像蓄積装置３から入力された映像（原映像）を出力するものである。この原映像は、番組映像蓄積装置３に蓄積され、制作者によって制作された映像である。ここで出力された原映像は、解説放送番組蓄積装置７に蓄積される。
【００５０】
副音声同期映像出力手段１９は、映像速度変換手段１２から入力された副音声同期映像を出力するものである。ここで出力された副音声同期映像は、原映像出力手段１８から出力された原映像に対応付けられて解説放送番組蓄積装置７に蓄積される。
【００５１】
主音声出力手段２０は、番組映像蓄積装置３から入力された映像音声（主音声）を出力するものである。この主音声は、番組映像蓄積装置３に蓄積され、制作者によって制作された映像の音声である。ここで出力された主音声は、原映像出力手段１８から出力された原映像に対応付けられて解説放送番組蓄積装置７に蓄積される。
【００５２】
副音声出力手段２１は、音声接続手段１６から入力された副音声を出力するものである。ここで出力された副音声は、副音声同期映像出力手段１９から出力された副音声同期映像に対応付けられて解説放送番組蓄積装置７に蓄積される。
【００５３】
なお、解説放送番組生成装置１は、コンピュータにおいて各手段を各機能プログラムとして実現することも可能であり、各機能プログラムを結合して、解説放送番組生成プログラム（解説付加音声生成プログラム）として動作させることも可能である。
【００５４】
［解説放送番組生成装置の動作］
次に、図４を参照して、解説放送番組生成装置１の動作について説明する。図４は、解説放送番組生成装置が、解説放送番組を生成する動作を示したフローチャートである。
【００５５】
解説放送番組生成装置１は、音声分析手段１３によって、外部に接続された番組映像蓄積装置３に記憶された映像音声を音声分析し、喋り区間とポーズ区間とを検出する（ステップＳ１１）。そして、ここでは、解説放送番組生成装置１は、映像・音声出力手段１７によって、外部に接続された出力装置５に音声分析の結果を出力することとした。
【００５６】
そして、解説放送番組生成装置１は、解説原稿入力手段１１によって、作業者が作成した解説原稿を入力する（ステップＳ１２）。ここで入力される解説原稿は、作業者によって、ステップＳ１１において検出されたポーズ区間の各々に予め対応付けられている。更に、解説放送番組生成装置１は、音声合成手段１４によって、ステップＳ１２において入力された解説原稿を音声合成して解説音声を生成する（ステップＳ１３）。
【００５７】
続いて、解説放送番組生成装置１は、話速変換手段１５によって、映像音声と解説音声との区間の伸縮及び話速を設定する（ステップＳ１４）。ここでは、複数の話速変換のパターンが予め設定されており、解説放送番組生成装置１は、話速変換手段１５によって、各パターンについて映像音声と解説音声との区間の伸縮及び話速を設定して、映像・音声出力手段１７によって、外部に接続された出力装置５に映像音声及び解説音声の伸縮を示す画像を出力することとした。
【００５８】
そして、解説放送番組生成装置１は、話速変換手段１５によって、ステップＳ１４において設定された話速に、映像音声及び解説音声を変換する（ステップＳ１５）。ここでは、解説放送番組生成装置１は、外部から入力された作業者の話速変換のパターンを指定する指令に基づいて、映像音声及び解説音声を指定されたパターンの話速に変換する。
【００５９】
更に、解説放送番組生成装置１は、音声接続手段１６によって、ステップＳ１５において話速変換された映像音声及び解説音声を接続して副音声を生成する（ステップＳ１６）。そして、解説放送番組生成装置１は、映像速度変換手段１２によって、ステップＳ１５において話速変換した映像音声及び解説音声の伸縮に合わせて、番組映像蓄積装置３に記憶された、当該映像音声に対応する映像を伸縮して副音声同期映像を生成する（ステップＳ１７）。
【００６０】
更に、解説放送番組生成装置１は、番組映像蓄積装置３から入力された映像を原映像として原映像出力手段１８から解説放送番組蓄積装置７に出力し、副音声同期映像出力手段１９によってステップＳ１７において生成された副音声同期映像を解説放送番組蓄積装置７に出力する。また、解説放送番組生成装置１は、主音声出力手段２０によって、映像音声を番組映像蓄積装置３から入力して主音声として解説放送番組蓄積装置７に出力し、副音声出力手段２１によって、ステップＳ１６において生成された副音声を解説放送番組蓄積装置７に出力して（ステップＳ１８）、動作を終了する。ここで出力された原映像、副音声同期映像、主音声及び副音声はそれぞれ関連付けられて解説放送番組蓄積装置７に蓄積される。
【００６１】
以上の動作によって、解説放送番組生成装置１は、番組映像蓄積装置３に記憶された複数の映像の副音声と副音声同期映像とを生成して、原映像及び主音声とともに解説放送番組蓄積装置７に蓄積することができる。そして、作業者は、必要な映像と副音声をＤＶＤ（Digital Versatile Disc）のような光ディスクやＶＴＲに記憶することができる。
【図面の簡単な説明】
【００６２】
【図１】本発明における解説放送番組生成装置の構成を模式的に示した模式図である。
【図２】本発明における解説放送番組生成装置の話速変換手段による話速変換を説明するための説明図、（ａ）は、音声分析手段によって検出された喋り区間とポーズ区間の例を模式的に示した模式図、（ｂ）は、話速変換手段による話速変換のパターンの例を模式的に示した模式図、（ｃ）は、話速変換手段による話速変換の他のパターンの例を模式的に示した模式図、（ｄ）は、話速変換手段による話速変換の他のパターンの例を模式的に示した模式図である。
【図３】本発明における解説放送番組生成装置の映像・音声出力手段によって生成される画像の一例を示す模式図である。
【図４】本発明における解説放送番組生成装置が、解説放送番組を生成する動作を示したフローチャートである。
【符号の説明】
【００６３】
１      解説放送番組生成装置（解説付加音声生成装置）
１２    映像速度変換手段
１３    音声分析手段（区間検出手段）
１４    音声合成手段
１５    話速変換手段
１６    音声接続手段（音声付加手段）
３      番組映像蓄積装置
５      出力装置
７      解説放送番組蓄積装置
【図１】
2008039845.tif 000003
【図２】
2008039845.tif 000004
【図３】
2008039845.tif 000005
【図４】
2008039845.tif 000006